(57)【要約】【課題】意図せずカバーが開くことに伴う種々の問題を回避する。【解決手段】プリンター１は、用紙Ｐに記録を行う記録手段としての記録ヘッド２２を内部に備えた筐体２と、筐体２に形成された用紙排出口１０を開閉する排出口カバー６と、排出口カバー６を筐体２に対してロックするロック手段としてのフック部７ａと、フック部７ａによるロックが解除される方向に排出口カバー６に対して外力Ｆが掛かった際、当該外力Ｆの少なくとも一部が排出口カバー６の閉方向に作用する係合部８とを備えている。これにより、意図せず排出口カバー６が開くことを防止できる。【選択図】図７
2015123679.tif 000002
【特許請求の範囲】
【請求項１】
媒体に記録を行う記録手段を内部に備えた筐体と、
前記筐体に形成された媒体の排出口を開閉する排出口カバーと、
前記排出口カバーを前記筐体に対してロックするロック手段と、
前記ロック手段によるロックが解除される方向に前記排出口カバーに対して外力が掛かった際、当該外力の少なくとも一部が前記排出口カバーの閉方向に作用し、前記排出口カバーと前記筐体とが係合する係合部と、
を備えた記録装置。
【請求項２】
請求項１に記載の記録装置において、前記ロック手段は、前記排出口カバーを複数の位置でロックする、
ことを特徴とする記録装置。
【請求項３】
請求項１または請求項２に記載の記録装置において、前記係合部が複数設けられている、
ことを特徴とする記録装置。
【請求項４】
請求項１から請求項３のいずれか一項に記載の記録装置において、前記排出口カバーは上方向に開き、
前記ロック手段は、上下方向にスライドすることにより前記排出口カバーを前記筐体に対してロック及びロック解除する、前記排出口カバーに設けられたフック部材を備え、
前記フック部材は、上方向にスライドすることで前記排出口カバーのロックを解除する、
ことを特徴とする記録装置。
【請求項５】
請求項４に記載の記録装置において、前記係合部は、前記筐体側に設けられた、下方向に突出する筐体側突起と、前記排出口カバー側に設けられた、上方向に突出するカバー側突起と、を備えて成り、
前記排出口カバーが閉じた状態において、前記カバー側突起は、前記筐体側突起と係合可能な位置であって前記筐体側突起に対し前記排出口カバーの閉方向寄りに位置する、
ことを特徴とする記録装置。
【請求項６】
請求項１から請求項５のいずれか一項に記載の記録装置において、前記筐体の上部を開閉する上部カバーを備え、
前記排出口カバーと前記上部カバーは、相対的に回動可能に連結される、
ことを特徴とする記録装置。
【請求項７】
請求項６に記載の記録装置において、前記上部カバーは、前記記録装置を操作する為の操作部を開閉する、
ことを特徴とする記録装置。
【請求項８】
請求項６または請求項７に記載の記録装置において、前記上部カバーと前記排出口カバーは、開いた状態において給送される媒体を支持可能な傾斜姿勢をとる、
ことを特徴とする記録装置。
【発明の詳細な説明】
【技術分野】
【０００１】
本発明は、ファクシミリやプリンター等に代表される記録装置に関する。
【背景技術】
【０００２】
記録装置の一例としてのプリンターには、開口部を開閉するカバーが種々設けられる。特許文献１に示すプリンターは、装置上面に設けられた給紙開口部を覆う給紙カバーと、装置前面に設けられた排紙口を覆う排紙口カバーを備えている。給紙カバーには磁石ユニットが設けられており、また排紙口カバーには金属部材が設けられている。
【０００３】
給紙カバーと排紙口カバーとが閉じた状態では、給紙カバーの磁石ユニットと、排紙口カバーの金属部材とが互いに吸着することでロック状態となり、シェル構造をなす。そして、給紙カバーを開くことに連動して、排紙口カバーは自重により自動的に開く様になっている。
【先行技術文献】
【特許文献】
【０００４】
【特許文献１】特開２００４−１２２７１９号公報
【発明の概要】
【発明が解決しようとする課題】
【０００５】
ところでプリンターには据え置き型のほか、持ち運びを前提としたモバイルタイプのものがある。モバイルタイプのプリンターは、ユーザーが鞄などにプリンターを収納した状態で持ち歩いたり、或いは直接手で抱えて持ち運ぶ機会が多くなる。
【０００６】
一方、プリンターに設けられた各種カバーは、上記特許文献１に示される様に磁石等の手段によって閉状態を保持するが、上述の様に持ち運びの際にカバーに外力が掛かり易く、その結果意図せずカバーが開いてしまう場合がある。その結果、カバーが意図せず勢い良く開くことで破損したり、カバーが半開き状態となることで装置内部に塵埃等が入り込んで、好ましくない結果を招く場合もある。他方、この様な問題を回避するためにカバーをロックする機構を多数設けると、開閉の際の取り扱い性が低下するとともに、コストアップとなる。
【０００７】
そこで本発明はこの様な状況に鑑みなされたものであり、その目的は、意図せずカバーが開くことに伴う種々の問題を回避することにある。
【課題を解決するための手段】
【０００８】
上記課題を解決する為の、本発明の第１の態様に係る記録装置は、媒体に記録を行う記録手段を内部に備えた筐体と、前記筐体に形成された媒体の排出口を開閉する排出口カバーと、前記排出口カバーを前記筐体に対してロックするロック手段と、前記ロック手段によるロックが解除される方向に前記排出口カバーに対して外力が掛かった際、当該外力の少なくとも一部が前記排出口カバーの閉方向に作用し、前記排出口カバーと前記筐体とが係合する係合部とを備えたことを特徴とする。
【０００９】
本態様によれば、前記ロック手段によるロックが解除される方向に前記排出口カバーに対して外力が掛かった際、当該外力の少なくとも一部が前記排出口カバーの閉方向に作用し、前記排出口カバーと前記筐体とが係合する係合部を備えているので、当該係合部によって意図せず前記排出口カバーが開くことを防止できる。その結果、意図せず前記排出口カバーが開くことに伴う種々の問題を回避することができる。
【００１０】
本発明の第２の態様は、第１の態様において、前記ロック手段は、前記排出口カバーを複数の位置でロックすることを特徴とする。  
本態様によれば、前記ロック手段は、前記排出口カバーを複数の位置でロックするので、前記排出口カバーをより確実にロックすることができる。
【００１１】
本発明の第３の態様は、第１のまたは第２の態様において、前記係合部が複数設けられていることを特徴とする。  
本態様によれば、前記係合部が複数設けられているので、前記ロック手段によるロックが解除される方向に前記排出口カバーに対して外力が掛かった際、意図せず前記排出口カバーが開くことをより確実に防止できる。
【００１２】
本発明の第４態様は、第１から第３の態様のいずれかにおいて、前記排出口カバーは上方向に開き、前記ロック手段は、上下方向にスライドすることにより前記排出口カバーを前記筐体に対してロック及びロック解除する、前記排出口カバーに設けられたフック部材を備え、前記フック部材は、上方向にスライドすることで前記排出口カバーのロックを解除することを特徴とする。
【００１３】
本態様によれば、前記ロック手段は、上方向にスライドすることで前記排出口カバーのロックを解除するフック部材を備えるので、前記排出口カバーの開き方向とロック解除時の前記フック部材の移動方向とが同じとなり、ユーザーは前記排出口カバーを開く際、その開き方向に沿った方向に前記フック部材を操作することとなり、操作が自然で、操作性が良好となる。
【００１４】
本発明の第５の態様は、第４の態様において、前記係合部は、前記筐体側に設けられた、下方向に突出する筐体側突起と、前記排出口カバー側に設けられた、上方向に突出するカバー側突起と、を備えて成り、前記排出口カバーが閉じた状態において、前記カバー側突起は、前記筐体側突起と係合可能な位置であって前記筐体側突起に対し前記排出口カバーの閉方向寄りに位置することを特徴とする。
【００１５】
本態様によれば、前記係合部が、筐体側突起と、カバー側突起とを備えて構成されているので、前記排出口カバーに対して上方向の力が加わった際、上記２つの突起が係合し、前記排出口カバーが容易に開かない。そして、前記係合部を、構造簡単にして低コストに構成することができる。
【００１６】
本発明の第６の態様は、第１から第６の態様のいずれかにおいて、前記筐体の上部を開閉する上部カバーを備え、前記排出口カバーと前記上部カバーは、相対的に回動可能に連結されることを特徴とする。
【００１７】
本態様によれば、前記筐体の上部を開閉する上部カバーを備え、前記排出口カバーと前記上部カバーは、相対的に回動可能に連結されるので、前記上部カバーと前記排出口カバーとを個別に開閉する必要がなく、操作性が良好となるとともに、前記排出口カバーをロックするロック手段を、前記上部カバーの為のロック手段として利用できるため、装置の低コスト化を図ることができる。
【００１８】
本発明の第７の態様は、第６の態様において、前記上部カバーは、前記記録装置を操作する為の操作部を開閉することを特徴とする。  
本態様によれば、前記上部カバーは、前記記録装置を操作する為の操作部を開閉するので、前記上部カバーを閉じることで、前記操作部を保護することができ、意図しない装置の動作を防止できる。
【００１９】
本発明の第８の態様は、第６のまたは第７の態様において、前記上部カバーと前記排出口カバーは、開いた状態において給送される媒体を支持可能な傾斜姿勢をとることを特徴とする。
【００２０】
本態様によれば、前記上部カバーと前記排出口カバーは、開いた状態において給送される媒体を支持可能な傾斜姿勢をとるので、前記上部カバーと前記排出口カバーとを媒体の支持手段として利用することで、装置の低コスト化を図ることができる。
【図面の簡単な説明】
【００２１】
【図１】本発明に係るプリンターの装置本体の斜視図（排出口カバー閉、上部カバー閉）。
【図２】本発明に係るプリンターの装置本体の斜視図（排出口カバー開、上部カバー開）。
【図３】本発明に係るプリンターの用紙搬送経路を示す側断面図。
【図４】本発明に係るプリンターの筐体及びカバー構造を示す側断面図。
【図５】排出口カバー裏側の部分拡大斜視図。
【図６】用紙排出口の斜視図。
【図７】（Ａ）はロック部材の位置における装置前部の側断面図、（Ｂ）は係合部の位置における装置前部の側断面図。
【発明を実施するための形態】
【００２２】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２３】
図１及び図２は本発明に係る「記録装置」の一実施形態であるインクジェットプリンター（以下「プリンター」と言う）１の外観斜視図であり、図１は排出口カバー６及び上部カバー５を閉じた状態を、図２は排出口カバー６及び上部カバー５を開いた状態を、それぞれ示している。
【００２４】
また図３はプリンター１の用紙搬送経路を示す側断面図、図４はプリンター１の筐体及びカバー構造を示す側断面図、図５は排出口カバー６裏側の部分拡大斜視図、図６は用紙排出口１０の斜視図、図７（Ａ）はフック部材７の位置における装置前部の側断面図、図７（Ｂ）は係合部８の位置における装置前部の側断面図である。
【００２５】
尚、各図に示すｘ−ｙ−ｚ直交座標系は、ｘ方向及びｙ方向が水平方向であり、このうちｘ方向は用紙搬送方向と直交する方向（用紙幅方向）であり、また装置左右方向でもあある。またｙ方向は用紙搬送方向であり、また装置奥行き方向でもある。更に、ｚ方向は重力方向であり、装置高さ方向でもある。
【００２６】
また、図３の断面図は、主に用紙搬送経路を示す為の図であり、後述する筐体２なの構成要素については図示を省略し、適宜簡略図示している。また、図４及び図７（Ａ）の断面図は、ｘ方向において概ね図２の位置Ａ１でにおいてｙ−ｚ平面で切断した図であり、図７（Ｂ）の断面図は、ｘ方向において概ね図２の位置Ａ２において、ｙ−ｚ平面で切断した図である。
【００２７】
以下、図１〜図３を参照しつつプリンター１の構成について概説する。プリンター１は、筐体２により外観が形成されており、その大きさと形状は、携帯性を考慮して小型に、そして薄型に形成されている。筐体２は、装置上側を構成する上筐体３と、装置下側を構成する下筐体３とを備えて構成され、本実施形態ではいずれも樹脂材料によって形成されている。
【００２８】
上筐体３の上部には、上筐体３の上部を開閉する上部カバー５が設けられている。上部カバー５は、回動軸５ａ（図４）を中心に回動可能に設けられ、回動することにより、上筐体３の上部中央を開閉する。
【００２９】
上部カバー５の内側には、電源ボタンや各種印刷設定ボタン及び各種表示を行う表示部を備えて成る操作部１３が設けられており、上部カバー５を開くことで、操作部１３が表れる。即ち上部カバー５は、操作部１３を開閉する。  
また、上部カバー５の内側には、装置内部を露呈させる為のサブカバー９が設けられている。サブカバー９を開くことで、後述する用紙搬送経路が露呈し、またキャリッジ２１に設けられたインクカートリッジ２３の着脱作業等が実行可能となる。
【００３０】
次に、装置前方には記録の行われた用紙Ｐを排出する用紙排出口１０が設けられており、この用紙排出口６を開閉する排出口カバー６が設けられている。尚、符号３ａは上筐体３の前面部を示しており、用紙排紙口６は前面部３ａの下側に形成されている。
【００３１】
上部カバー５及び排出口カバー６が閉じた状態では、上部カバー５の上面が、上筐体３の側部上面３ｄと面一を成す様に構成されており、また排出口カバー６の外面が、上筐体３の側部前面３ｅとほぼ同じ位置となり、全体的に筐体表面に極端な段差が形成されない様に構成されている。
【００３２】
上部カバー５が開いた状態では、図２に示す様に装置上部に用紙給送口１２が表れ、用紙の給紙が行える様になっている。上部カバー５は、上述した様に装置上部を開閉するとともに、開いた状態では、排出口カバー６とともに、用紙給送口１２にセットされた給送前の（或いは給送中の）用紙Ｐを傾斜姿勢に支持する支持手段を兼ねる。
【００３３】
ここで排出口カバー６は、図２及び図４に示す様に上部カバー５と連結軸（ヒンジ）５ｂを介して相対的に回動可能に連結されている。また、排出口カバー６は、後述するロック手段によって筐体２に対してロックされる様に構成されている。図１において符号７ｂはそのロックを解除する為の把持部であり、上部カバー５及び排出口カバー６を開く際には、先ず把持部７ｂに指を掛け、当該把持部７ｂを上方向に持ち上げて（スライドさせて）ロックを解除する。次いで、その状態で把持部７ｂ（排出口カバー６）を装置前方側に引き寄せつつ上方向に開く。すると、排出口カバー６と上部カバー５がともに開くこととなる。尚、排出口カバー６をロックするロック手段については、後に詳述する。
【００３４】
尚、排出口カバー６の上部カバー５に対する最大開き角度は、連結軸５ｂの内部構造により所定角度（本実施形態では略１８０°）に規制されている。従って排出口カバー６と上部カバー５を開くと、図２に示す様に排出口カバー６及び上部カバー５の内面が、用紙Ｐを傾斜姿勢に支持する支持面を構成する。換言すれば、排出口カバー６が、上部カバー５によって形成される用紙支持面を上方向に延長する機能を果たす。
【００３５】
一方、排出口カバー６と上部カバー５の双方を閉じる際は、排出口カバー６に手を掛けて閉じ方向に回動させる。その過程において、上部カバー５も同時に閉じる。尚、上部カバー５は、閉じた状態において上筐体３の上面３ｂにより閉じた角度が規制される。また排出口カバー６は、閉じた状態において筐体３の前面部３ａにより閉じた角度が規制される。尚、上筐体３の上面３ｂは、側部上面３ｄよりも上部カバー５の厚み分、一段低くなった面である。また上筐体３の前面部３ａは、側部前面３ｅよりも排出口カバー６の厚み分、一段奥まった面である。
【００３６】
以上が外観から把握されるプリンター１の構成であり、以下、プリンター１の内部構成（用紙搬送経路）について図３を参照しつつ概説する。プリンター１は、記録動作と用紙搬送動作とを交互に行うことで記録を完了させる所謂シリアル型のインクジェットプリンターである。符号１５はホッパーであり、用紙給送口１２にセットされた複数枚の用紙Ｐは、ホッパー１５と、上述した開いた状態の上部カバー５及び排出口カバー６とによって傾斜姿勢に支持される。
【００３７】
ホッパー１５は不図示の揺動支点を中心に揺動することにより、支持した用紙Ｐを給送ローラー１６に対して進退させる。セットされた用紙Ｐのうち最上位のものは、ホッパー１５が上昇することで給送ローラー１６に接し、そして給送ローラー１６の回転によって下流側へと給送される。
【００３８】
給送ローラー１６の下流には搬送駆動ローラー１８と搬送従動ローラー１９とを備えた用紙搬送手段が設けられており、これらローラーによって用紙Ｐはインクジェット記録ヘッド２２の下へと搬送される。
【００３９】
インクジェット記録ヘッド２２はキャリッジ２１に設けられ、当該キャリッジ２１は、インクカートリッジ２３を搭載するとともに、不図示のモーターからの動力を受け、用紙幅方向（ｘ方向）に往復動する。尚、本実施形態ではキャリッジ２１はインクカートリッジ２３を搭載する、所謂オンキャリッジタイプであるが、インクカートリッジ２３がキャリッジ２１から独立して設けられ、インクカートリッジ２３と記録ヘッド２２とがインクチューブで接続された、所謂オフキャリッジタイプであっても良い。
【００４０】
インクジェット記録ヘッド２２と対向する位置には用紙Ｐを支持する用紙支持部材２０が設けられ、インクジェット記録ヘッド２２及び用紙支持部材２０の下流側には、記録の行われた用紙Ｐを排出する排出駆動ローラー２６及び排出従動ローラー２７が設けられている。符号２５は用紙浮きを規制する規制ローラーである。記録の行われた用紙Ｐは、排出駆動ローラー２６及び排出従動ローラー２７によって、用紙排出口１０から装置前方側に排出される。
【００４１】
以上がプリンター１の全体構成であり、以下、排出口カバー６をロックするロック手段及び排出口カバー６に外力が加わった際に閉方向の傾向を与える係合部８について説明する。  
図４、図５に示す様に、排出口カバー６は表パネル６ａと裏パネル６ｂとを備えて構成されており、表パネル６ａと裏パネル６ｂとの間に、フック部材７を備えている。
【００４２】
フック部材７は、表パネル６ａと裏パネル６ｂとの間で、ｚ方向（閉じた状態における方向）にスライド可能に設けられるともに、不図示の付勢手段によって下方向（閉じた状態における方向）に付勢された状態に設けられている。  
このフック部材７には、フック部７ｂが形成されており、このフック部７ｂが、裏パネル６ｂに形成された開口部６ｃから突出した状態となっている。
【００４３】
一方、下筐体４には被係止部４ｂが図６に示す様に形成されており、排出口カバー６が閉じた状態においてフック部７ｂが被掛止部４ｂに係止することにより、排出口カバー６が筐体２（より詳しくは下筐体３）に対してロックされる様になっている（図４、図５、図７（Ａ））。  
尚、本実施形態においてフック部７ｂは、ｘ方向において複数箇所（本実施形態では２箇所）設けられており、２箇所において、排出口カバー６をロックする。２箇所設けられたロック位置は、本実施形態ではｘ方向において排出口カバー６の中央部に対して対称をなす位置である。
【００４４】
一方、フック部材７には装置前面側に、上述した様に把持部７ｂ（図１）が形成されており、この把持部７ｂを上方に持ち上げることにより、フック部材７が上方向にスライドし、フック部７ｂが被掛止部４ｂから外れる。即ち、排出口カバー６のロックが解除される。
【００４５】
次に、図２において符号３ｃ、３ｃは、上筐体３と下筐体４とを接合する接合部を示しており、この接合部３ｃ、３ｃにおいて、上筐体３と下筐体４とが不図示のネジによって接合されている。この接合部３ｃは、前面部４ａよりもやや手前側に突出する様に形成されており、そして排出口カバー６の幅方向両端部には、接合部３ｃを受け入れる凹部６ｅが、図２、図５に示す様に形成されている。
【００４６】
この凹部６ｅの下側には、カバー側突起６ｄが、（排出口カバー６が閉じた状態において）上方に突出する様に形成されている（図５、図７（Ｂ））。一方、上筐体３に形成された接合部３ｃには、図７（Ｂ）に示す様に筐体側突起４ｃが下方に突出する様に形成されている。  
そして図７（Ｂ）に示す様に排出口カバー６が閉じた状態において、カバー側突起６ｄは、筐体側突起４ｃと係合可能な位置（対向する位置）であって筐体側突起４ｃに対し排出口カバー６の閉方向寄り、即ち本体内部寄り（図７（Ｂ）において右側）に位置している。尚、カバー側突起６ｄと筐体側突起４ｃは、係合部８を構成する（後述）。
【００４７】
以上により、以下の作用効果が得られる。即ち、排出口カバー６が閉じた状態において、当該排出口カバー６に、図７（Ｂ）において矢印Ｆで示す様な外力、即ち排出口カバー６を上方向に持ち上げる様な外力が作用すると、この外力Ｆはフック部７ａを被係止部４ｂから外す方向（ロック解除方向）に作用する。これにより、意図せず排出口カバー６のロックが解除され、開いてしまう虞がある。
【００４８】
しかしながら外力Ｆが掛かった際、カバー側突起６ｄは筐体側突起４ｃに対し閉方向側に位置するので、カバー側突起６ｄが筐体側突起４ｃに対し当接した際に、カバー側突起６ｄには矢印ｆで示す様な力が作用する。即ち、外力Ｆの一部が、排出口カバー６の閉方向に作用する外力ｆとなり、これによりフック部７ａが被係止部４ｂから外れること、即ちロック解除されることを防止する。
【００４９】
尚、本実施形態において係合部８は、ｘ方向において複数箇所（本実施形態では２箇所）設けられている。２箇所設けられた係合部８は、本実施形態ではｘ方向において排出口カバー６の中央部に対して対称をなす位置である。
【００５０】
以上説明したように本発明に係るプリンター１は、第１の特徴として、用紙Ｐに記録を行う記録手段としての記録ヘッド２２を内部に備えた筐体２と、筐体２に形成された用紙排出口１０を開閉する排出口カバー６と、排出口カバー６を筐体２に対してロックするロック手段としてのフック部７ａと、フック部７ａによるロックが解除される方向に排出口カバー６に対して外力Ｆが掛かった際、当該外力Ｆの少なくとも一部が排出口カバー６の閉方向に作用する係合部８とを備えている。これにより、意図せず排出口カバー６が開くことを防止できる。その結果、意図せず排出口カバー６が開くことに伴う種々の問題を回避することができる。
【００５１】
また本実施形態では、第２の特徴として、ロック手段としてのフック部７ａは、排出口カバー６を複数の位置でロックするので、排出口カバー６をより確実にロックすることができる。
【００５２】
また同様に本実施形態では、第３の特徴として、係合部８が複数設けられているので、フック部７ａによる排出口カバー６のロックが解除される方向に排出口カバー６に対して外力Ｆが掛かった際、意図せず排出口カバー６が開くことをより確実に防止できる。
【００５３】
また本実施形態では、第４の特徴として、排出口カバー６は上方向に開き、ロック手段としてのフック部７ａは、上方向にスライドすることで排出口カバー６のロックを解除するので、排出口カバー６の開き方向とロック解除時のフック部７ａ（即ち把持部７ｂ）の移動方向とが同じとなり、ユーザーは排出口カバー６を開く際、その開き方向に沿った方向に把持部７ｂを操作することとなり、操作が自然で、操作性が良好となる。
【００５４】
また本実施形態では、第５の特徴として、係合部８は、筐体２側に設けられた、下方向に突出する筐体側突起４ｃと、排出口カバー６に設けられた、上方向に突出するカバー側突起６ｄと、を備えて成り、排出口カバー６が閉じた状態において、カバー側突起６ｄは、筐体側突起４ｃと係合可能な位置であって筐体側突起４ｃに対し排出口カバー６の閉方向寄りに位置する。この様に係合部８が、筐体側突起４ｃと、カバー側突起６ｄとを備えて構成されているので、排出口カバー６に対して上方向に外力Ｆが掛かった際、カバー側突起６ｄと筐体側突起４ｃとが係合し、意図せず排出口カバー６が開くことをより確実に防止できる。そしてまた、係合部８を、構造簡単にして低コストに構成することができる。
【００５５】
また本実施形態では、第６の特徴として、筐体２の上部を開閉する上部カバー５を備え、排出口カバー６と上部カバー５は、相対的に回動可能に連結されるので、上部カバー５と排出口カバー６とを個別に開閉する必要がなく、操作性が良好となるとともに、排出口カバー６をロックするロック手段を、上部カバー５の為のロック手段として利用できるため、装置の低コスト化を図ることができる。
【００５６】
また本実施形態では、第７の特徴として、上部カバー５は、プリンター１を操作する為の操作部１３を開閉するので、上部カバー５を閉じることで、操作部１３を保護することができ、意図しない装置の動作を防止できる。
【００５７】
加えて本実施形態では、第８の特徴として、上部カバー５と排出口カバー６は、開いた状態において給送される用紙Ｐを支持可能な傾斜姿勢をとるので、上部カバー５と排出口カバー６とを用紙Ｐの支持手段として利用することで、装置の低コスト化を図ることができる。
【００５８】
以上説明した実施形態の各構成要素について、開示した内容に限定されないことは言うまでもなく、適宜変更可能であることは言うまでもない。例えば、上述した第２〜第８の特徴は、適宜省略することもでき、また適宜組み合わせを変えることができる。  
また、上記第６の特徴に関し、上記実施形態では排出口カバー６のロックは把持部７ｂを上方にスライドさせることで解除する様に構成したが、その逆に把持部７ｂを下方にスライドさせることで解除する様に構成しても良い。
【符号の説明】
【００５９】
１  インクジェットプリンター、２  筐体、３  上筐体、３ａ  前面部、３ｂ  上面、３ｃ  接合部、３ｄ  側部上面、３ｅ  側部前面、４  下筐体、４ａ  前面部、４ｂ  被掛止部、４ｃ  筐体側突起、５  上部カバー、５ａ  回動軸、５ｂ  連結軸、６  排出口カバー、６ａ  表パネル、６ｂ  裏パネル、６ｃ  開口部、６ｄ  カバー側突起、６ｅ  凹部、７  フック部材、７ａ  フック部、７ｂ  把持部、８  係合部、９  サブカバー、１０  用紙排出口１２  用紙給送口、１３  操作部、１５  ホッパー、１６  給送ローラー、１８  搬送駆動ローラー、１９  搬送従動ローラー、２０  用紙支持部材、２１  キャリッジ、２２  インクジェット記録ヘッド、２３  インクカートリッジ、２５  規制ローラー、２６  排出駆動ローラー、２７  排出従動ローラー、Ｐ  記録用紙
【図１】
2015123679.tif 000003
【図２】
2015123679.tif 000004
【図３】
2015123679.tif 000005
【図４】
2015123679.tif 000006
【図５】
2015123679.tif 000007
【図６】
2015123679.tif 000008
【図７】
2015123679.tif 000009